(57)【特許請求の範囲】
【請求項１】
外装体に囲まれた内容器（２）の口元に着脱自在に装着し、内容器（２）と連通する飲み口（５）を備え、天面とその周りの側壁とからなる蓋状の中栓キャップ（４）と、中栓キャップに枢支し、飲み口を開閉自在とするキャップカバー（６）と、キャップカバーの前後回動を規制するキャップレバー（７）と、キャップレバーの前後回動を規制するキャップロック（８）とを備え、開放時キャップロック（８）を操作してキャップレバー（７）の規制を解除した後、キャップレバーを操作してキャップカバー（６）の規制を解除し、中栓キャップ（４）の飲み口（５）を開放する携帯用液体容器（１）に於いて、
上記蓋状の中栓キャップ（４）には、正面部に左右突出壁（１６）、（１７）と下方突出壁（１８）とからなるＵ字状壁（１９）が形成され、このＵ字状壁内には、天面に近い前面壁に当接突出片（２２）と、下方突出壁（１８）に近い前面壁に爪状の突起片（２０）とが設けられ、
中栓キャップ（４）の後方に枢支されたキャップカバー（６）には、中栓キャップの飲み口（５）を開閉する飲み口押え突部（２５）と、中栓キャップのＵ字状壁（１９）上方に位置する前面開口の嵌合溝（２４）と、キャップカバー（６）を前後回動自在に付勢するキャップカバースプリング（２７）とが設けられ、
キャップレバー（７）は、Ｕ字状壁（１９）の左右突出壁（１６）、（１７）間にキャップレバーピン（２９）を介して枢支され、上方にキャップカバー（６）の嵌合溝（２４）内に嵌合する爪（３０）と、下方にキャップロックピン（３３）を介してキャップロック（８）を枢支し、キャップレバー（７）の枢支点とキャップロック（８）の枢支点との間でキャップレバー（７）内壁と中栓キャップ（４）のＵ字状壁（１９）内表面との間にキャップレバースプリング（３２）を設け、このキャップレバー（７）は、側面視において、Ｕ字状壁（１９）に覆われ、
キャップロック（８）には、キャップレバー（７）の下端にキャップレバーの前面より当接する指掛け部（３４）と、キャップロックピン（３３）後方で中栓キャップ（４）の突起片（２０）と当接する弾性部（３５）とが一体的に形成され、側面視において、Ｕ字状壁（１９）に覆われ、
中栓キャップ（４）の飲み口（５）開放時のみ、キャップロック（８）に掛ける指先の押圧動作にて、キャップロックの上下回動とキャップレバー（７）の前後回動とを同時に操作可能としたことを特徴とする携帯用液体容器。
【発明の詳細な説明】
【技術分野】
【０００１】
本発明は、ワンタッチで蓋状の中栓キャップを開閉する携帯用液体容器に関するものである。
【背景技術】
【０００２】
従来、携帯用液体容器としては、外装体に囲まれた内容器の口元に中栓と中栓に被さったコップとをそれぞれ着脱自在に装着し、外装体の肩部に把手又はハンドルを装着し、内容器の液体を飲む時、液体容器本体よりコップを取り外した後に、中栓を緩めコップに液体容器本体内の液体を注ぎ、コップに口を付けて飲む注ぎタイプであった。ところがこの注ぎタイプに変わって、コップを不要とし液体容器本体の中栓キャップを開放した後、液体容器本体に備えた飲み口に口を直接付けて飲む口付けタイプが特開２００５−１９３９４４号公報（特許文献１、図１参照）として存在する。
【０００３】
【特許文献１】特開２００５−１９３９４４号公報（図１参照）
【０００４】
以下、特許文献１の図１により従来の携帯用液体容器について説明する。
この特許文献１の携帯用液体容器である飲料用容器、特にその栓体のロック構造は、蓋部材の回動端に設けられた係合片に係脱可能な係合部を上部に有すると共に、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものである。このスライド式ストッパがロックボタンの内側に位置するときにはロックが行え、スライド式ストッパがロックボタンの内側から外れた時にロックが解除されるという構造である。
【発明の開示】
【発明が解決しようとする課題】
【０００５】
ところが、このような構成によれば、スライド式ストッパを指先で一旦押し下げてからその指先若しくは他の指でロックボタンの下部を内側に押した時に蓋部材を開くことができる。
しかし、上記のように、スライド式ストッパを上下動させる操作とロックボタンを押圧する操作とを一連の動作として行うことができない。つまり蓋部材を開く時には２っの全く異なる動作をしなければならず、操作の簡単性に欠け、しかも飲み口に近く狭い個所でのスライド式ストッパ、ロックボタン等の各部材の構造が複雑で、各部材やスプリング等の取り付けが非常に煩雑であるという問題点があった。
【課題を解決するための手段】
【０００６】
本発明は、外装体に囲まれた内容器２の口元に着脱自在に装着し、内容器２と連通する飲み口５を備え、天面とその周りの側壁とからなる蓋状の中栓キャップ４と、中栓キャップに枢支し、飲み口を開閉自在とするキャップカバー６と、キャップカバーの前後回動を規制するキャップレバー７と、キャップレバーの前後回動を規制するキャップロック８とを備え、開放時キャップロック８を操作してキャップレバー７の規制を解除した後、キャップレバーを操作してキャップカバー６の規制を解除し、中栓キャップ４の飲み口５を開放する携帯用液体容器１に於いて、
上記蓋状の中栓キャップ４には、正面部に左右突出壁１６、１７と下方突出壁１８とからなるＵ字状壁１９が形成され、このＵ字状壁内には、天面に近い前面壁に当接突出片２２と、下方突出壁１８に近い前面壁に爪状の突起片２０とが設けられている。
【０００７】
又、中栓キャップ４の後方に枢支されたキャップカバー６には、中栓キャップの飲み口５を開閉する飲み口押え突部２５と、中栓キャップのＵ字状壁１９上方に位置する前面開口の嵌合溝２４と、キャップカバー６を前後回動自在に付勢するキャップカバースプリング２７とが設けられ、
キャップレバー７は、Ｕ字状壁１９の左右突出壁１６、１７間にキャップレバーピン２９を介して枢支され、上方にキャップカバー６の嵌合溝２４内に嵌合する爪３０と、下方にキャップロックピン３３を介してキャップロック８を枢支し、キャップレバー７の枢支点とキャップロック８の枢支点との間でキャップレバー７内壁と中栓キャップ４のＵ字状壁１９内表面との間にキャップレバースプリング３２を設け、このキャップレバー７は、側面視において、Ｕ字状壁１９に覆われている。
【０００８】
更に、キャップロック８には、キャップレバー７の下端にキャップレバーの前面より当接する指掛け部３４と、キャップロックピン３３後方で中栓キャップ４の突起片２０と当接する弾性部３５とが一体的に形成され、側面視において、Ｕ字状壁１９に覆われている。
【０００９】
更に又、中栓キャップ４の飲み口５開放時のみ、キャップロック８に掛ける指先の押圧動作にて、キャップロックの上下回動とキャップレバー７の前後回動とを同時に操作可能とする構成としている。
【発明の効果】
【００１０】
本発明は、従来の問題点を解決したものであって、中栓キャップをワンタッチで開放できると共に確実に開閉することができ、しかも落下時等の場合でも破損の恐れを確実に防ぎ、各部品の構造も至って簡単で、取り付け作業も極めて容易である携帯用液体容器を提供するにある。
【発明を実施するための最良の形態】
【００１１】
携帯用液体容器１は、液体を収容する内容器２と、内容器２と間隔を隔てて内容器を囲んだ外装体３と、内容器の上端に螺着する中栓キャップ４と、中栓キャップの飲み口５を開閉するキャップカバー６と、キャップカバーの回動を阻止するキャップレバー７と、キャップレバーの回動を阻止するキャップロック８と、携帯用液体容器本体を持ち運びするハンドル９とから構成している。
【００１２】
内容器２は、図３に示すように、合成樹脂材料にて円筒状に形成されており、上端口元外側に中栓キャップ４を螺着する雄ネジ１０を刻設している。
内容器２の雄ネジ１０下部には、外装体３と接触する肩本体部１１を設け、この肩本体部と内容器外壁との間に外装体の上端を結合する環状凹部１２を設けている。この環状凹部は、ネジであってもよい。
【００１３】
外装体３は、図３に示すように、合成樹脂材料にて内容器２と間隔を隔てて囲んだ筒状に形成されており、中央胴体１３を窪ませて、上端口元外側壁に内容器の環状凹部１２と嵌合する環状凸部１４を設けている。この環状凸部１４は、環状凹部をネジとすればそれに螺着するネジであっても何ら支障をきたすものではない。
外装体３の中央胴体１３を窪ませることにより、携帯用液体容器１を持って内容器内の液体を飲む際、手が窪んだ中央胴体に馴染み、非常に飲み心地のよいものとなる。
【００１４】
中栓キャップ４は、図３に示すように、合成樹脂材料にて天面と天面の周りより下端に延びた周側壁とからなる蓋状に形成されており、天面の前方に近い部分に飲み口５を設け、周側壁の内側には内容器２の雄ネジ１０と螺着する雌ネジ１５を刻設している。
【００１５】
中栓キャップ４の周側壁の前面部には、後述のキャップレバー７やキャップロック８を周りより覆うように、左右突出壁１６，１７と下方突出壁１８とを備えたＵ字状壁１９を設けている。このＵ字状壁１９は、側面視において、中栓キャップの前面に飛び出したキャップレバー７やキャップロック８よりも更に飛び出して、万一携帯用液体容器１を落としたり、倒したりしたとき、キャップレバーやキャップロックに直接当たらないように覆っている。
【００１６】
中栓キャップ４の左右突出壁１６，１７と下方突出壁１８とにて囲まれる前面部の周側壁表面には、図３乃至図６に示すように、後述のキャップロック８の後端の弾性部３５を係止及び飛び越えさせる突起片２０を備えている。
【００１７】
中栓キャップ４の天面の後部には、後述のキャップカバー６を支える軸部２１を備え、天面に近い前面側壁に後述のキャップレバー７と当接する当接突出片２２を設けている。
２３は、肩シールパッキンで、内容器２の口元上端と中栓キャップ４天面内側との接触個所に配置して内容器２口元からの水漏れを防いでいる。
【００１８】
キャップカバー６は、図３乃至図６に示すように、合成樹脂材料にて中栓キャップ４の天面中央を前後方向に覆うように形成されており、前部に後述のキャップレバー７の爪３０を嵌合する嵌合溝２４を備え、内側に飲み口５と嵌合する飲み口押え突部２５を備え、後部で中栓キャップ４の軸部２１に貫通したキャップカバーピン２６を介してキャップカバースプリング２７を配置している。
【００１９】
このキャップカバースプリング２７は、常時キャップカバーピン２６を支点としてキャップカバー６を上方へ回動するように働きかけている。
キャップカバー６の飲み口押え突部２５には、飲み口５からの液漏れを防ぐキャップカバーゴム２８を張設している。
キャップカバー６の嵌合溝２４は、図３乃至図６に示すように、前方を開放して後述のキャップレバー７の爪３０が嵌合できるようにしている。
【００２０】
キャップレバー７は、合成樹脂材料にて形成されており、図３乃至図６に示すように、中栓キャップ４の左右突出壁１６，１７と下方突出壁１８とにて囲まれたＵ字状壁１９内に納まり、ほぼ中央内側に軸部を設け、この軸部に中栓キャップ４の左右突出壁１６，１７を通ったキャップレバーピン２９を通して枢支されており、上部内側にキャップカバー６の嵌合溝２４に収まる爪３０を備え、下部に後述のキャップロック８に接触する係合端３１を備えている。
【００２１】
このキャップレバー７の軸部下方の内壁と中栓キャップ４のＵ字状壁１９内表面との間にキャップレバースプリング３２を張設して、常時キャップレバー７の爪３０がキャップカバー６の嵌合溝２４側に押しつけられている。このキャップレバースプリング３２は、キャップレバー７の枢支点とキャップロック８の枢支点との間に設けている。
【００２２】
キャップロック８は、合成樹脂材料にて形成されており、図３乃至図６に示すように、キャップレバー７の軸部下方のキャップロックピン３３にて軸支されており、キャップレバー７下部の係合端３１に当接する指掛け部３４と、キャップロックピン３３の後方で中栓キャップ４の当接突出片２２に対して上下摺動自在とする弾性部３５とを一体的に形成している。このキャップロックピン３３は、キャップレバー７のキャップレバースプリング３２よりもさらに下方に配置している。
【００２３】
次ぎに、操作について説明する。
内容器２の口元外周壁にある雄ネジ１０に対して、中栓キャップ４の雌ネジ１５を緩めて内容器２の口元より中栓キャップ４を取り外し、内容器内に液体(水、コーヒー等)を注入する。更に、場合によっては、氷を入れても何ら支障をきたすものではない。
【００２４】
その後、中栓キャップ４を螺着した後、屋外等に持ち運びして、内容器内の液体を飲む場合には、先ず指先をキャップロック８の指掛け部３４に当て、キャップロック８を下方へ押し下げる。キャップロックは、キャップロックピン３３を支点として下方内側に回動し、キャップロックの後方の弾性部３５が中栓キャップ４の突起片２０を飛び越えて突起片２０上方に位置する。
【００２５】
すると今までキャップロック８にてキャップレバーピン２９を支点として前後回動を規制されていたキャップレバー７が前後回動可能となる。しかしながら通常はキャップレバーピン２９よりも下方に存在するキャップレバースプリング３２によってキャップレバー７の上方の爪３０は、キャップカバー６の嵌合溝２４内に収まっており、キャップカバースプリング２７に抗してキャップカバー６がキャップレバーピン２９を支点として上部後方へ跳ね上がることはない。
【００２６】
けれどもキャップロック８に掛かる指先にキャップロック８を押し下げる力と同時にわずかに中栓キャップ４の周側壁の前面部に向けて押し圧する力を加えることにより、キャップレバー７の前後回動を可能とすると共にキャップカバー６の前後回動を可能とする。(この力の加減は、指先にて大きく感じるものではなく、ワンタッチで指先にキャップロック８を押し下げたと思われる程度の感触しか伝わらないものである。)
【００２７】
このキャップロック８の押し下げと同時にキャップレバーピン２９よりも下方のキャップレバー７下部が中栓キャップ４の前面部側に押しつけられて、キャップレバー７の爪３０を前方へ回動させるために、キャップカバー６は、キャップカバーピン２６を支点としてキャップカバースプリング２７により中栓キャップ４の後方に回動して跳ね起こす。これにより外装体３の中央胴体１３に手を当てて携帯用液体容器本体を傾け、飲み口５に口を持って行けば内容器２内の液体を飲むことができる。
【００２８】
このように中栓キャップ４の飲み口５の開放には、キャップレバー７の規制を開放するキャップロック８の上下回動動作と、その後のキャップレバー７の前後回動動作と、キャップカバー６の前後回動動作とが順次行われるが、特にこのキャップロック８の上下回動動作とキャップレバー７の前後回動動作とは、明らかに別動作でありながら、指先による操作時の操作はこの二つの動作を同時に行い得、しかも指先ではその違いがわからず、あたかも一つの動作とみることができる極めて斬新なものである。
【００２９】
次ぎに、キャップカバー６をセットするには、キャップカバースプリング２７に抗して、キャップカバー６を前方へ倒せば、キャップレバー７の爪３０がキャップカバー６の嵌合溝２４を形成する下壁に当たった後、キャップレバースプリング３２に抗して、一旦前方へ傾倒後キャップカバー６の嵌合溝２４を形成する下壁を通り越して嵌合溝２４内に入りすぐに復帰してキャップカバー６の嵌合溝２４内にキャップレバー７の爪３０を嵌合すると同時にキャップカバー６の飲み口押え突部２５が中栓キャップ４の飲み口５を閉鎖する。
【００３０】
その後、キャップロック８をキャップロックピン３３を支点として上方へ回動し、弾性部３５を中栓キャップ４の突起片２０下方へ移動させれば、キャップカバー６の後方回動とキャップレバー７の前方回動を同時に阻止することができる。
【００３１】
更に、中栓キャップ４の飲み口５の閉鎖では、手にてキャップカバー６の先を前方へ回動し押さえつけて、キャップレバー７の爪３０をキャップカバー６の嵌合溝２４内に嵌合した後、指先にてキャップロック８を上方へ回動してキャップレバー７の前後回動を阻止し、同時にキャップカバー６の前後回動をも阻止している。
【００３２】
このようにキャップロック８は、単に後部に弾性部３５を備え、キャップレバー７に支えられたキャップロックピン３３に枢支し、キャップレバー７は、中栓キャップ４に支えられたキャップレバーピン２９に枢支し、しかもこのキャップレバーピンよりも下方に配置したキャップレバースプリング３２にて常時キャップレバー７の上部の爪３０が中栓キャップ４の前面側に向けて押圧されており、キャップレバー７の爪３０を嵌合する嵌合溝２４を備えたキャップカバー６が中栓キャップ４に支えられたキャップカバーピン２６に枢支するだけなので、部品点数も非常に少なく、構造も簡単で確実に中栓キャップの飲み口を開閉することができる。
【００３３】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３４】
【図１】本発明実施例の正面図。
【図２】本発明実施例の斜視図。
【図３】本発明実施例の中央縦断面図。
【図４】本発明他実施例の要部を示す一部縦断面図。
【図５】本発明他実施例のキャップカバーの開放状態を示す一部縦断面図。
【図６】本発明他実施例の要部のロック前を示す一部縦断面図
【符号の説明】
【００３５】
１…液体容器
２…内容器
３…外装体
４…中栓キャップ
５…飲み口
６…キャップカバー
７…キャップレバー
８…キャップロック
１６…左突出壁
１７…右突出壁
１８…下方突出壁
１９…Ｕ字状壁
２０…突起片
２２…当接突出片
２４…嵌合溝
２５…飲み口押え突部
２７…キャップカバースプリング
２９…キャップレバーピン
３０…爪
３２…キャップレバースプリング
３３…キャップロックピン
３４…指掛け部
３５…弾性部
【図１】
0005170399.tif 000002
【図２】
0005170399.tif 000003
【図３】
0005170399.tif 000004
【図４】
0005170399.tif 000005
【図５】
0005170399.tif 000006
【図６】
0005170399.tif 000007